(57)【要約】【課題】  正確な位置決めを行い、電子機器への組み込みを容易にする。【解決手段】  撮像装置２１は、筐体１１に組み込まれており、撮像レンズ４０、レンズ鏡筒４１、撮像素子４２、赤外光カットフイルタ４３、フイルタ保持部材４４からなる。レンズ鏡筒４１は、撮像レンズ４０を保持するレンズ保持枠５３、マクロ調節用カム筒５４、固定筒５５、コイルばね５６からなる。固定筒５５は、円筒部６６、ベース部６７、突出片６８〜７１とからなる。突出片６８〜７１は、ベース部６７の４隅に配置され、撮像光軸Ｌと平行に延びるように矩形断面の柱状に形成されている。突出片６８〜７１には、Ｘ軸方向基準面６８ａ，６９ａ，７０ａ，７１ａ、Ｙ軸方向基準面６８ｂ，６９ｂ，７０ｂ，７１ｂ、Ｚ軸方向基準面６８ｃ，６９ｃ，７０ｃ，７１ｃが形成されている。【選択図】        図５
2005215176.tif 000002
【特許請求の範囲】
【請求項１】
撮像レンズと、この撮像レンズを保持し、略円筒形状に形成されたレンズ保持枠と、このレンズ保持枠をスライド自在に保持する固定筒とからなる撮像装置において、
前記固定筒は、前記レンズ保持枠を保持する円筒部と、この円筒部と一体に形成された略矩形状のベース部と、このベース部の４隅に配置され、前記レンズ保持枠の周りを囲み、前記撮像レンズの撮像光軸に沿って延びるように前記ベース部と一体に形成された突出片とからなり、前記突出片は矩形断面の柱状で、前記固定筒の外周面の一部で前記撮像光軸と平行な平面状の第１基準面と、前記固定筒の外周面の一部で前記第１基準面と直角に位置し、且つ前記撮像光軸と平行な平面状の第２基準面と、前記前固定筒の先端側の端面で前記第１及び第２基準面と直角に位置し、且つ前記撮像光軸と直交する平面状の第３基準面とが形成されていることを特徴とする撮像装置。
【請求項２】
前記固定筒に取り付けられ、通常位置と突出位置との間で移動し、前記通常位置から前記突出位置に移動するときに通常撮像位置にある前記レンズ保持枠を光軸方向に押圧して突出撮像位置に移動させるカム部材と、前記レンズ保持枠と前記固定筒との間に掛けられ、前記カム部材が前記突出位置から通常位置に移動したときに前記レンズ保持枠を通常撮像位置に復帰させる付勢部材とを備えており、前記撮像レンズ、前記レンズ保持枠、前記カム部材、及び前記付勢部材は、前記突出片で囲まれた空間内で、前記第１、第２及び第３基準面から外部へ突出しないように配置されていることを特徴とする請求項１記載の撮像装置。
【請求項３】
前記固定筒に取り付けられ、通常位置と突出位置との間で移動し、前記通常位置から前記突出位置に移動するときに通常撮像位置にある前記レンズ保持枠を光軸方向に押圧して突出撮像位置に移動させるカム部材と、前記レンズ保持枠と前記固定筒との間に掛けられ、前記カム部材が前記突出位置から通常位置に移動したときに前記レンズ保持枠を通常撮像位置に復帰させる付勢部材とを備えており、この付勢部材を前記突出片の間に挟まれる位置に設けたことを特徴とする請求項１又は２記載の撮像装置。
【発明の詳細な説明】
【技術分野】
【０００１】
本発明は、撮像素子に画像を結像して画像信号を得る撮像装置に関するものである。
【背景技術】
【０００２】
近年、急速に普及するデジタルカメラには、撮像レンズと、この撮像レンズを保持するレンズ鏡筒と、撮像レンズにより結像された画像を光電変換するＣＣＤイメージセンサや、ＣＭＯＳイメージセンサなどの撮像素子とが組み込まれており、最近では、単体のデジタルカメラだけではなく、携帯電話や、ＰＤＡ（携帯型情報端末）、パーソナルコンピュータなどの各種電子機器に内蔵することが多くなってきていることから、上述したような撮像レンズ、レンズ鏡筒、及び撮像素子を一体にユニット化した撮像装置（撮像ユニット）として組み立てられることが一般的である。このような撮像装置は、携帯電話などの筐体に固定され、この筐体に設けられた露呈穴から撮像レンズが露呈するように組み込まれている。
【０００３】
この撮像装置では、接写撮像やピント調節などのために撮像レンズを保持する保持枠を光軸方向にスライド移動させる移動機構を設けていることが多い。このような移動機構では、レンズ保持枠を光軸方向に移動させるカム部材と、このカム部材によって移動されたレンズ保持枠を初期位置に復帰させる付勢部材からなる構成が一般的であり、この初期位置に復帰させる付勢部材としては、レンズ保持枠の前面に配置され、初期位置側へ向かってレンズ保持枠を付勢する板バネなどが一般的である。また、特許文献１では、レンズ保持枠を付勢する付勢部材としてコイルバネを使用しており、このコイルバネが、レンズ保持枠に形成された掛止片と、レンズ鏡胴のベースに形成された掛止片との間に掛けられている。
【０００４】
【特許文献１】特開２００３−１９５１３９号公報
【発明の開示】
【発明が解決しようとする課題】
【０００５】
ところで、上述したような撮像装置が電子機器に組み込まれる前の状態では、撮像レンズ、レンズ保持枠、及びレンズ保持枠を移動させる移動機構などが外部から露呈するような構成となっており、外部から衝撃を受けると、破損したり、部品が外れたりして、動作不良が発生しやすいので、作業を慎重に行わなければならず、電子機器への組み込みに手間と時間が掛かっていた。そこで、外部衝撃に強く、電子機器への組み込みを容易にする構造が望まれているが、上記特許文献１記載のものなど従来の構成の撮像装置では、耐衝撃性や、組立容易性については余り考慮されていなかった。
【０００６】
また、上述したような撮像装置を携帯電話などの電子機器に組み込むためには、例えばその電子機器の幅方向、奥行き方向及び天地方向という３つの座標軸の全ての方向について正確に位置決めしなければ、他の組み込み部品と接触したり、撮像光軸の方向が傾いてしまったりして、動作不良の原因となることも考えられる。しかしながら、上述したような撮像装置では、レンズ保持枠は撮像レンズに合わせて略円筒形の外周面に形成されているので、このような外周面を電子機器側に当接させても、正確な位置決めを行うことは困難であり、組み込みに手間と時間が掛かってしまうため、作業効率を低下させ、ローコスト化の妨げとなっていた。
【０００７】
さらに、従来の撮像装置では、上述したように耐衝撃性に乏しいことから、これが組み込まれた電子機器自体の耐衝撃性も低下するので、電子機器との間に緩衝部材などを介して撮像装置を配設し、耐衝撃性を持たせるなどの配慮が必要となっていた。このような理由から、撮像装置に対する耐衝撃性の向上が強く要求されていた。
【０００８】
また、レンズ保持枠を付勢する付勢部材として板バネやコイルバネなどの付勢部材を使用している場合、撮像装置の外形から付勢部材がはみ出すように組み込まれていると、他の部品などに引っ掛かったり、挟まったりすることがあり、レンズ保持枠の正常な動作の妨げとなることがあった。
【０００９】
本発明は上記の事情を考慮してなされたもので、撮像レンズ、レンズ鏡筒、及び撮像素子を一体にユニット化し、耐衝撃性及び組立容易性を向上させるとともに、電子機器への正確な位置決めを行いつつ確実に組み込むことを可能とし、またレンズ保持枠の移動機構などが安定して動作することが可能な撮像装置を簡単な構造でローコストに提供することを目的とする。
【課題を解決するための手段】
【００１０】
本発明は、撮像レンズと、この撮像レンズを保持し、略円筒形状に形成されたレンズ保持枠と、このレンズ保持枠をスライド自在に保持する固定筒とからなる撮像装置において、前記固定筒は、前記レンズ保持枠を保持する円筒部と、この円筒部と一体に形成された略矩形状のベース部と、このベース部の４隅に配置され、前記レンズ保持枠の周りを囲み、前記撮像レンズの撮像光軸に沿って延びるように前記ベース部と一体に形成された突出片とからなり、前記突出片は矩形断面の柱状に形成されており、この突出片には、前記固定筒の外周面の一部で前記撮像光軸と平行な平面状の第１基準面と、前記固定筒の外周面の一部で前記第１基準面と直角に位置し、且つ前記撮像光軸と平行な平面状の第２基準面と、前記前固定筒の先端側の端面で前記第１及び第２基準面と直角に位置し、且つ前記撮像光軸と直交する平面状の第３基準面とが形成されていることを特徴とする。
【００１１】
なお、前記固定筒に取り付けられ、通常位置と突出位置との間で移動し、前記通常位置から前記突出位置に移動するときに通常撮像位置にある前記レンズ保持枠を光軸方向に押圧して突出撮像位置に移動させるカム部材と、前記レンズ保持枠と前記固定筒との間に掛けられ、前記カム部材が前記突出位置から通常位置に移動したときに前記レンズ保持枠を通常撮像位置に復帰させる付勢部材とを備えており、前記撮像レンズ、前記レンズ保持枠、前記カム部材、及び前記付勢部材は、前記突出片で囲まれた空間内で、前記第１、第２及び第３基準面から外部へ突出しないように配置されていることが好ましい。
【００１２】
また、前記固定筒に取り付けられ、通常位置と突出位置との間で移動し、前記通常位置から前記突出位置に移動するときに通常撮像位置にある前記レンズ保持枠を光軸方向に押圧して突出撮像位置に移動させるカム部材と、前記レンズ保持枠と前記固定筒との間に掛けられ、前記カム部材が前記突出位置から通常位置に移動したときに前記レンズ保持枠を通常撮像位置に復帰させる付勢部材とを備えており、この付勢部材を前記突出片の間に挟まれる位置に設けていることも効果的である。
【発明の効果】
【００１３】
本発明の撮像装置は、レンズ保持枠を保持する円筒部と、この円筒部と一体に形成された略矩形状のベース部と、このベース部の４隅に配置され、レンズ保持枠の周りを囲み、撮像レンズの撮像光軸に沿って延びるようにベース部と一体に形成された突出片とからなるように固定筒を形成し、さらに前記突出片は矩形断面の柱状に形成されており、この突出片には、固定筒の外周面の一部で撮像光軸と平行な平面状の第１基準面と、固定筒の外周面の一部で第１基準面と直角に位置し、且つ撮像光軸と平行な平面状の第２基準面と、前固定筒の先端側の端面で第１及び第２基準面と直角に位置し、且つ撮像光軸と直交する平面状の第３基準面とを形成しているので、高い耐衝撃性と組立容易性を備えており、且つこの撮像装置を電子機器に組み込むとき、正確な位置決めを行ないつつ、容易に組み込むことができる。
【００１４】
また、前記固定筒に取り付けられ、通常位置と突出位置との間で移動し、前記通常位置から前記突出位置に移動するときに通常撮像位置にある前記レンズ保持枠を光軸方向に押圧して突出撮像位置に移動させるカム部材と、前記レンズ保持枠と前記固定筒との間に掛けられ、前記カム部材が前記突出位置から通常位置に移動したときに前記レンズ保持枠を通常撮像位置に復帰させる付勢部材とを備えており、前記撮像レンズ、前記レンズ保持枠、前記カム部材、及び前記付勢部材は、前記突出片で囲まれた空間内で、前記第１、第２及び第３基準面から外部へ突出しないように配置されているので、突出片が衝撃を吸収し、内部の前記撮像レンズ、前記レンズ保持枠、前記カム部材、及び前記付勢部材は衝撃を受けることを防ぐことができる。
【００１５】
また、レンズ保持枠を通常撮像位置に復帰させる付勢部材を突出片の間に挟まれる位置に設けているので、付勢部材の引っ掛かりを防ぎ、レンズ保持枠が安定して動作することができる。
【発明を実施するための最良の形態】
【００１６】
以下、図面に従って本発明に係るレンズ装置の好ましい実施の形態について詳説する。図１及び図２は、本発明を適用したカメラ付き携帯電話の正面側及び背面側の外観斜視図である。カメラ付き携帯電話１の本体部２は、上部筐体１１、及び下部筐体１２と、これら筐体１１，１２を回動自在に連結するヒンジ部１３とから構成されている。
【００１７】
上部筐体１１には、図２に示すように、本発明が実施された撮像装置２１が設けられており、カメラ付き携帯電話１では、この撮像装置２１から被写体画像を取得する。ヒンジ部１３には、カメラ付き携帯電話１の使用時に、上部筐体１１と下部筐体１２とが所定の角度で係止されるように、クリック機構（図示せず）が設けられている。本体部２は、ヒンジ部１３を介して回動させることにより、上部筐体１１と下部筐体１２とを展開及び折り畳み可能となっており、カメラ付き携帯電話１の非使用時には、上部筐体１１と下部筐体１２とが平行となるように折り畳まれる。
【００１８】
筐体１１，１２は、ともに略矩形の薄板形状に形成されており、上部筐体１１の背面１１ａからは撮像装置２１が露呈し、正面１１ｂにはＬＣＤパネル２６及び受話スピーカ２７が、上面１１ｃにはアンテナ２８が、一方の側面１１ｄには、マクロスイッチ２９が配置されており、下部筐体１２の正面１２ａには操作部３１及び送話マイク３２が配置されている。さらに下部筐体１２の下面１２ｂには、パーソナルコーンピュータなどの外部機器とケーブル接続するためのソケット３４、及びメモリーカードが装填されるメモリカードスロット３６が設けられている。
【００１９】
アンテナ２８は、通話や電子メールサービス、インターネット接続サービスを利用する際に他の携帯電話やインターネットサーバからの電波信号を受信するとともに、カメラ付き携帯電話１から発信される電波信号を外部に送信する。受話スピーカ２７は、通信相手の音声や着信音などを出力する。ＬＣＤパネル２６には、メニュー画面や着信相手の電話番号などの各種情報、撮像素子２２により得られたスルー画像や、メモリカードに記録された画像が表示される。送話マイク３２は、話し手の音声を電気的な音声信号に変換して、アンテナ２８を介して通話相手に送信する。
【００２０】
操作部３１は、選択キー３１ａ、シャッタボタン３１ｂや、ダイヤルキー３１ｃなどからなる。選択キー３１ａは、各種メニューの選択・設定などに使用される。このカメラ付き携帯電話１は、各種モードの中から撮像モードを選択して被写体の撮像を行うことができるようになっており、これらモードの選択は選択キー３１ａを操作して行う。また、選択キー３１ａは、撮像装置２１による被写体の撮像操作にも使用される。シャッタボタン３１ｂは、撮像装置２１により撮像を行うときのレリーズ操作に使用する。さらにまた、ダイヤルキー３１ｂは、電話番号や電子メールの文章などを入力する際に操作される。
【００２１】
撮像装置２１は、図３に示すように、撮像レンズ４０、レンズ鏡筒４１、撮像素子４２、赤外光カットフイルタ４３、及びフイルタ保持部材４４からなる。そして、これらが一体となったユニット状態で、図４に示すように、上部筐体１１に組み込まれている。撮像素子４２としては、ＣＣＤまたはＣＭＯＳが使用される。この撮像素子４２は、受光素子４６，この受光素子４６が実装された半導体基板４７、及び受光素子４６の表面を覆うガラスカバー４８などからなる。
【００２２】
この撮像装置２１は、筐体１１に形成された露呈穴４９と対面する位置にある内壁面１１ｅに固定されており、露呈穴４９の周囲には、撮像素子２１へ向かって突出する嵌合ボス５０が形成されている。この嵌合ボス５０には、円柱状に切り欠かれた嵌合凹部５０ａ（図４参照）が形成されている。また、露呈穴４９には、内径が小さくなっている絞り部４９ａが形成されているとともに、保護カバー５１が設けられている。
【００２３】
レンズ鏡筒４１は、図３に示すように、撮像レンズ４０を保持するレンズ保持枠５３、マクロ切換用カム環５４、固定筒５５、及びコイルばね５６からなる。レンズ保持枠５３は、撮像レンズ４０を保持する円筒状の枠部５７、この枠部５７の外周面から周囲に突出するように形成されたフランジ部５８、及びこのフランジ部５８の端部の複数箇所に設けられた係止部５９とからなる。係止部５９の被写体側の面には、コイルバネ５６の一端部５６ａが掛けられる係止溝６０が形成されている。この係止溝６０は、撮像光軸Ｌと直交するスリット状に形成されている。なお、係止部５９は、図中２箇所に設けられているがこれに限らず、レンズ保持枠５３を安定して係止できるように３箇所以上設けてもよい。枠部５７は、フランジ部５８より被写体側の前方円筒部５７ａと、フランジ部５８より像面側の後方円筒部５７ｂとからなる。また、図４では、撮像レンズ４０として第１群４０ａ、第２群４０ｂ及び第３群４０ｃからなる３群のレンズが図示されているがこれに限るものではない。
【００２４】
マクロ切換用カム環５４は、図３に示すように、円環部６１と、この円環部６１の外周面から突出する摘み部６２とが一体に形成されている。円環部６１は、固定筒５５に面する端面６１ａから軸方向に沿って切り欠かれた切欠き部６１ｂが形成されており、この切欠き部６１ｂの一部にカム面６３が形成されている。
【００２５】
固定筒５５は、円筒部６６と、この円筒部６６の下面に一体に形成されたベース部６７と、ベース部６７から突出する突出片６８〜７１とからなる。円筒部６６は、撮像レンズ４０の撮像光軸Ｌを中心にした円筒形状に形成されており、外周面６６ａに、マクロ切換用カム環５４が、内周面６６ｂにレンズ保持枠５３がそれぞれ回転自在且つ光軸方向にスライド自在に嵌合する。また、ベース部６７の背面側には、フイルタ保持部材４４及び撮像素子４２が固着される。
【００２６】
ベース部６７は、略矩形状で、外形から突出するように係止突起７６が一体に形成されている。係止突起７６は、上述したレンズ保持枠５３の係止部５９に対応する位置に配設されており、その像面側には、コイルバネ５６の他端部５６ｂが掛けられる係止溝７７が形成されている。また、ベース部６７の下面６７ｃには開口部７９が形成されており、この開口部７９に対面する位置に撮像素子４２が固定されている。さらに、このベース部６７には、上述のマクロ切換用カム環５４のカム面６３の位置に合わせたカムピン８０が一体に形成されている
【００２７】
突出片６８〜７１は、図５〜図７に示すように、ベース部６７の４隅にそれぞれ配置されており、矩形断面の柱状で、撮像光軸Ｌと平行に被写体側に向かって延びるように形成されている。なお、突出片６８〜７１は、便宜上、図５の左上から時計回りの順に符号を付しており、以下ではこの符号に従って説明する。
【００２８】
突出片６８〜７１には、それぞれ、Ｘ軸方向基準面（第１基準面）６８ａ，６９ａ，７０ａ，７１ａと、Ｙ軸方向基準面（第２基準面）６８ｂ，６９ｂ，７０ｂ，７１ｂと、Ｚ軸方向基準面（第３基準面）６８ｃ，６９ｃ，７０ｃ，７１ｃとが形成されている。
【００２９】
Ｘ軸方向基準面６８ａ、Ｙ軸方向基準面６８ｂは、突出片６８の外周面の一部であり、且つベース部６７の外周面の一部、すなわちベース部６７のコーナー部分を形成するように互いに直角に位置し、且つ撮像光軸Ｌと平行な平面状にそれぞれ形成されている。同様に、突出片６９〜７１のＸ軸方向基準面６９ａ，７０ａ，７１ａ、及びＹ軸方向基準面６９ｂ，７０ｂ，７１ｂについても、突出片６９〜７１の外周面の一部であり、且つベース部６７のそれぞれのコーナー部分を形成するように互いに直角に位置し、且つ撮像光軸Ｌと平行な平面状にそれぞれ形成されている。さらにこれらの基準面６８ａ，６９ａ，７０ａ，７１ａ，６８ｂ，６９ｂ，７０ｂ，７１ｂのうち、ベース部６７の同じ側面に位置する基準面６８ａ，６９ａは互いに同じ平面上に位置するように形成されており、また同様に、基準面７０ａ，７１ａ、基準面６９ｂ，７０ｂ、及び基準面６８ｂ，７１ｂはそれぞれ互いに同じ平面上に位置している。
【００３０】
Ｚ軸方向基準面６８ｃは、突出片６８の被写体側先端部の端面に形成されており、Ｘ及びＹ軸方向基準面６８ａ，６８ｂと直角に位置し、且つ撮像光軸Ｌと直交する平面状に形成されている。同様にＺ軸方向基準面６９ｃ，７０ｃ，７１ｃは、突出片６９〜７１の被写体側先端部の端面にそれぞれ形成されている。そしてさらにＺ軸方向基準面６８ｃ，６９ｃ，７０ｃ，７１ｃは全て同じ平面上に位置するように形成されている。
【００３１】
マクロ切換用カム環５４は、円筒部６６に嵌合することにより、カム面６３がカムピン７０と摺接した状態となるとともに、円環部６１の被写体側の端面６１ｃがレンズ保持枠５３のフランジ部５８に当接する。このマクロ切換用カム環５４のカム面６３は、レンズ保持枠５３が通常撮像位置と、マクロ撮像位置との間で移動するように、像面側から被写体側に向かって徐々に傾斜するように形成されており、初期位置では、円環部６１の端面６１ａがベース部６７に当接する初期位置にあり、この初期位置からカム面６３の傾斜に従って円環部６１の端面６１ａがベース部６７から離れる突出位置に移動する。そして、マクロ切換用カム環５４は、マクロスイッチ２９のスライド操作に連動して、摘み部６２が光軸Ｌと略直交する方向に移動することにより円環部６１が回転する。円環部６１が回転するとカム面６３及びカムピン７０のリードに従ってマクロ切換用カム環５４が光軸Ｌに沿って初期位置及び突出位置の間を直進移動する。
【００３２】
上述したようにコイルばね５６がレンズ保持枠５３と、固定筒５５との間に掛けられることによって、レンズ保持枠５３は、固定筒５５に対して、一定の付勢を受けながら、光軸方向に所定のストロークでスライド自在な状態で保持される。上述したようにレンズ保持枠５３のフランジ部５８には、マクロ切換用カム環５４が当接しており、マクロ切換用カム環５４が光軸Ｌに沿って初期位置から突出位置に直進移動すると、レンズ保持枠５３も一体となって移動し、通常撮像位置からマクロ撮像位置に切り換わる。なお、マクロ切換用カム環５４が突出位置から初期位置に戻ると、レンズ保持枠５３もコイルばね５６の付勢によって像面側へ移動し、通常撮像位置に復帰する。
【００３３】
これら撮像レンズ４０、レンズ保持枠５３、マクロ切換用カム環５４、及びコイルバネ５６など、固定筒５５に保持されるものは、突出片６８〜７１で囲まれた空間内で、上述のＸ軸方向基準面６８ａ，６９ａ，７０ａ，７１ａ、Ｙ軸方向基準面６８ｂ，６９ｂ，７０ｂ，７１ｂ、及びＺ軸方向基準面６８ｃ，６９ｃ，７０ｃ，７１ｃから外部へ突出しないように配置されている。
【００３４】
赤外光カットフイルタ４３は透明なガラス基板に可視光を透過して赤外光を遮断する多層膜をコーティングしたものである。フイルタ保持部材４４は、略矩形に形成され、赤外光カットフイルタ４３に向かって突出する押さえ部４４ａ，４４ｂが一体に形成されている。この押さえ部４４ａ，４４ｂは、赤外光カットフイルタ４３を固定筒５５側へ付勢しする。赤外光カットフイルタ４３を保持するフイルタ保持部材４３は、固定筒５５の開口部７９に嵌めこまれ、且つ固定筒５５及び撮像素子４２の間に挟まれて固定される。固定筒５５と撮像素子４２との固定では、接着剤が塗布されることにより固着される。なお、接着剤の種類としては、例えば紫外線硬化タイプのものが使用される。
【００３５】
以上のように構成され、ユニット化された撮像装置２１は、図４及び図５に示すように上部筐体１１の露呈穴４９に対面する位置にレンズ保持枠５３が位置するように筐体１１の内部に組み込まれる。
【００３６】
上記構成の作用について、以下に説明する。上述した撮像装置２１を筐体１１に組み込むときなど、撮像装置２１は、外部から衝撃を受けたりすることなどがあるが、この外部からの衝撃は、固定筒５５の４隅に形成された突出片６８〜７１が吸収し、この突出片６８〜７１で囲まれた空間内に配置された撮像レンズ４０、レンズ保持枠５３、マクロ切換用カム環５４、及びコイルバネ５６など固定筒５５に保持されるものは、外部からの衝撃を直接受けることはないので、これらの部品の破損を防ぐとともに、レンズ保持枠５３が安定して動作することが可能となる。また、撮像装置２１は、筐体１１への正確な位置決めを行ないつつ、確実に固定するように組み付け作業を行うが、上述したように撮像装置２１には、ベース部６７の突出片６８〜７１にＸ軸方向基準面６８ａ，６９ａ，７０ａ，７１ａ、Ｙ軸方向基準面６８ｂ，６９ｂ，７０ｂ，７１ｂ、及びＺ軸方向基準面６８ｃ，６９ｃ，７０ｃ，７１ｃがそれぞれ形成されているので、これらの基準面を、筐体１１側に形成された基準面にそれぞれ当接させれば、Ｘ，Ｙ，Ｚ軸方向においてそれぞれ正確に位置決めを行うことができるので、他の組み込み部品と接触したり、撮像光軸Ｌの方向が所定の方向から傾くことがなく、カメラ付き携帯電話１の内部の正確な位置に撮像装置２１を組み込むことができる。また、このとき、コイルバネ５６が突出片６８〜７１の間に挟まれる位置に取り付けられているので、コイルバネ５６が他の部品などに引っ掛かったり、挟まったりすることがなく、レンズ保持枠５３の移動を妨げることがなく、スムーズに動作させることが可能である。
【００３７】
なお、上記実施形態においては、カメラ付き携帯電話を例に上げて説明しているが、これに限らず、携帯電話、又はＰＤＡ、パーソナルコンピュータなどに適用してもよい。
【００３８】
また、上記実施形態においては、通常撮像とマクロ撮像とを切り換えるために、レンズ保持枠の移動機構を設けている撮像装置を例に上げているが、本発明は、これに限らず、ピント調節のためにレンズ保持枠の移動機構を設けた撮像装置でも適用することが可能であり、レンズ保持枠を移動させない構成でもよい。
【図面の簡単な説明】
【００３９】
【図１】カメラ付き携帯電話を示す正面側斜視図である。
【図２】カメラ付き携帯電話の背面側斜視図である。
【図３】本発明の撮像装置の構造を示す分解斜視図である。
【図４】カメラ付き携帯電話の要部断面図である。
【図５】撮像装置を上方から見た平面図である。
【図６】図５の矢線Ａ方向から撮像装置を見た側面図である。
【図７】図５の矢線Ｂ方向から撮像装置を見た側面図である。
【符号の説明】
【００４０】
１  カメラ付き携帯電話
２  本体部
１１，１２  筐体
１３  ヒンジ部
２１  撮像装置
４０  撮像レンズ
４１  レンズ鏡筒
５３  レンズ保持枠
５５  固定筒
６７  ベース部
６８〜７１  突出片
６８ａ，６９ａ，７０ａ，７１ａ  Ｘ軸方向基準面
６８ｂ，６９ｂ，７０ｂ，７１ｂ  Ｙ軸方向基準面
６８ｃ，６９ｃ，７０ｃ，７１ｃ  Ｚ軸方向基準面
【図１】
2005215176.tif 000003
【図２】
2005215176.tif 000004
【図３】
2005215176.tif 000005
【図４】
2005215176.tif 000006
【図５】
2005215176.tif 000007
【図６】
2005215176.tif 000008
【図７】
2005215176.tif 000009